(57)【要約】      （修正有）【課題】トンネルの壁面上に容易に設置することができる消火栓装置及び消火器箱を提供する。【解決手段】壁面Ｗに取り付けられ、壁面Ｗ前方に向けて開口する開口部６ａが設けられる挟持部６ｂを有する壁面側第１支持部材６と、筐体４に取り付けられ、壁面側第１支持部材６の開口部６ａから挟持部６ｂ内に挟入されて、挟持部６ｂにより挟持される被挟持部７ｂを有する筐体側第１支持部材７とをさらに備え、壁面側第１支持部材６の挟持部６ｂに筐体側第１支持部材７の被挟持部７ｂが挟持されて、筐体４が壁面Ｗ上に支持されることを特徴とする。【選択図】図３
2019041860.tif 000002
【特許請求の範囲】
【請求項１】
消火用ホースが収納されるホース収納部を内蔵する筐体を備え、トンネルの壁面上に設置される消火栓装置であって、
前記壁面に取り付けられ、前記壁面前方に向けて開口する開口部が設けられる挟持部を有する壁面側第１支持部材と、
前記筐体に取り付けられ、前記壁面側第１支持部材の前記開口部から前記挟持部内に挟入されて、前記挟持部により挟持される被挟持部を有する筐体側第１支持部材とをさらに備え、
前記壁面側第１支持部材の前記挟持部に前記筐体側第１支持部材の前記被挟持部が挟持されて、前記筐体が前記壁面上に支持されることを特徴とする消火栓装置。
【請求項２】
前記筐体側第１支持部材の被挟持部は、棒状をなして、前記筐体の横方向に延在するものであり、前記壁面側第１支持部材は、前記被挟持部を上下方向から挟持するものであることを特徴とする請求項１に記載の消火栓装置。
【請求項３】
前記壁面側第１支持部材の下方に位置して、前記壁面に取り付けられ、縦方向の角度が調整可能な接続部を有する壁面側第２支持部材と、
前記筐体側第１支持部材の下方に位置して、前記筐体に取り付けられ、縦方向の角度が調整可能な接続部を有する筐体側第２支持部材とをさらに備え、
前記壁面側第２支持部材の前記接続部と前記筐体側第２支持部材の前記接続部が接続されて、前記筐体の縦方向の角度が調整可能であることを特徴とする請求項１又は２に記載の消火栓装置。
【請求項４】
消火器が格納される筐体を備え、トンネルの壁面上に設置される消火器箱であって、
前記壁面に取り付けられ、前記壁面前方に向けて開口する開口部が設けられる挟持部を有する壁面側第１支持部材と、
前記筐体に取り付けられ、前記壁面側第１支持部材の前記開口部から前記挟持部内に挟入されて、前記挟持部により挟持される被挟持部を有する筐体側第１支持部材とをさらに備え、
前記壁面側第１支持部材の前記挟持部に前記筐体側第１支持部材の前記被挟持部が挟持されて、前記筐体が前記壁面上に支持されることを特徴とする消火器箱。
【請求項５】
前記筐体側第１支持部材の被挟持部は、棒状をなして、前記筐体の横方向に延在するものであり、前記壁面側第１支持部材は、前記被挟持部を上下方向から挟持するものであることを特徴とする請求項４に記載の消火器箱。
【請求項６】
前記壁面側第１支持部材の下方に位置して、前記壁面に取り付けられ、縦方向の角度が調整可能な接続部を有する壁面側第２支持部材と、
前記筐体側第１支持部材の下方に位置して、前記筐体に取り付けられ、縦方向の角度が調整可能な接続部を有する筐体側第２支持部材とをさらに備え、
前記壁面側第２支持部材の前記接続部と前記筐体側第２支持部材の前記接続部が接続されて、前記筐体の縦方向の角度が調整可能であることを特徴とする請求項４又は５に記載の消火器箱。
【発明の詳細な説明】
【技術分野】
【０００１】
この発明は、トンネルに設置される消火栓装置及び消火器箱に関する。
【背景技術】
【０００２】
従来、トンネルに設置される消火栓装置は、消火用ホースが収納されるホース収納部を内蔵する筐体が壁面に形成される箱抜き部分に設置されていた（例えば、特許文献１参照）。
【先行技術文献】
【特許文献】
【０００３】
【特許文献１】特開２０１５−４４０３９号公報
【発明の概要】
【発明が解決しようとする課題】
【０００４】
最近のトンネルは、シールド工法により施工されることが多い。シールド工法では、掘削と同時に壁面が鋼製のセグメントにより構築されるため、従来のもののように壁面に箱抜き部分を形成することができない。
【０００５】
シールド工法により施工されるトンネルに消火栓装置を設置する場合、監視員通路上に消火栓装置を設置することが考えられるが、そのように設置すると、監視員通路の幅員を狭くすることになる。そこで、監視員通路の幅員を広く確保するために、壁面にフック等の金具を取り付け、その金具に引っ掛けて壁掛け式に消火栓装置を壁面上に設置することが考えられる。
【０００６】
消火栓装置を壁面上に設置する場合、その工程としては、消火栓装置の筐体をクレーン等により吊り上げ、設置位置上方に一旦移動させてから下方に移動させることにより、壁面側の金具に上方から引っ掛けるようにして設置することが考えられる。
【０００７】
しかしながら、前記の工程による場合、筐体を設置位置上方に一旦移動させる必要があり、設置作業が煩雑になるという問題がある。また、トンネルの壁面は通常、高さ方向に円弧状の曲面をなしているが、設置位置によっては、その上方に筐体を移動させるスペースが十分にない場合があり、その場合、設置作業が困難になるという問題ある。
【０００８】
また、トンネルには、初期消火用の消火器が格納される筐体を備える消火器箱が設置されることもある。消火器箱を壁面上に設置する場合にも、消火栓装置について前記で説明したのと同様の問題がある。
【０００９】
この発明は、上記の事情に鑑み、トンネルの壁面上に容易に設置することができる消火栓装置及び消火器箱を提供することを目的とする。
【課題を解決するための手段】
【００１０】
この発明は、消火用ホースが収納されるホース収納部を内蔵する筐体を備え、トンネルの壁面上に設置される消火栓装置であって、前記壁面に取り付けられ、前記壁面前方に向けて開口する開口部が設けられる挟持部を有する壁面側第１支持部材と、前記筐体に取り付けられ、前記壁面側第１支持部材の前記開口部から前記挟持部内に挟入されて、前記挟持部により挟持される被挟持部を有する筐体側第１支持部材とをさらに備え、前記壁面側第１支持部材の前記挟持部に前記筐体側第１支持部材の前記被挟持部が挟持されて、前記筐体が前記壁面上に支持されることを特徴とする消火栓装置である。
【００１１】
また、この発明は、前記筐体側第１支持部材の被挟持部は、棒状をなして、前記筐体の横方向に延在するものであり、前記壁面側第１支持部材は、前記被挟持部を上下方向から挟持するものであることを特徴とする消火栓装置である。
【００１２】
また、この発明は、前記壁面側第１支持部材の下方に位置して、前記壁面に取り付けられ、縦方向の角度が調整可能な接続部を有する壁面側第２支持部材と、前記筐体側第１支持部材の下方に位置して、前記筐体に取り付けられ、縦方向の角度が調整可能な接続部を有する筐体側第２支持部材とをさらに備え、前記壁面側第２支持部材の前記接続部と前記筐体側第２支持部材の前記接続部が接続されて、前記筐体の縦方向の角度が調整可能であることを特徴とする消火栓装置である。
【００１３】
また、この発明は、消火器が格納される筐体を備え、トンネルの壁面上に設置される消火器箱であって、前記壁面に取り付けられ、前記壁面前方に向けて開口する開口部が設けられる挟持部を有する壁面側第１支持部材と、前記筐体に取り付けられ、前記壁面側第１支持部材の前記開口部から前記挟持部内に挟入されて、前記挟持部により挟持される被挟持部を有する筐体側第２支持部材とをさらに備え、前記壁面側第１支持部材の前記挟持部に前記筐体側第１支持部材の前記被挟持部が挟持されて、前記筐体が前記壁面上に支持されることを特徴とする消火器箱である。
【００１４】
また、この発明は、前記筐体側第１支持部材の被挟持部は、棒状をなして、前記筐体の横方向に延在するものであり、前記壁面側第１支持部材は、前記被挟持部を上下方向から挟持するものであることを特徴とする消火器箱である。
【００１５】
また、この発明は、前記壁面側第１支持部材の下方に位置して、前記壁面に取り付けられ、縦方向の角度が調整可能な接続部を有する壁面側第２支持部材と、前記筐体側第１支持部材の下方に位置して、前記筐体に取り付けられ、縦方向の角度が調整可能な接続部を有する筐体側第２支持部材とをさらに備え、前記壁面側第２支持部材の前記接続部と前記筐体側第２支持部材の前記接続部が接続されて、前記筐体の縦方向の角度が調整可能であることを特徴とする消火器箱である。
【発明の効果】
【００１６】
この発明によれば、消火栓装置と消火器箱のいずれにおいても、筐体を壁面上の設置位置に向けて前方から略水平に移動させることにより、筐体側第１支持部材の被挟持部を壁面側第１支持部材の挟持部内に開口部から挟入させて、その挟持部により挟持することができ、筐体を壁面上に支持することができる。これにより、設置位置上方に移動させることなしに、筐体を壁面上に設置することができ、筐体を壁面上に設置する作業を簡単なものとすることができるし、設置位置上方に筐体を移動させるスペースがなかったとしても、その設置位置に筐体を容易に設置することができる。
【００１７】
したがって、この発明によれば、トンネルの壁面上に容易に設置することのできる消火栓装置及び消火器箱を提供することができる。
【図面の簡単な説明】
【００１８】
【図１】この発明の実施形態の一例である消火栓装置を示したものであり、（ａ）が正面図、（ｂ）が側面図である。
【図２】同上の消火栓装置がトンネルの壁面に設置されている状態を示したものであり、（ａ）が側面図、（ｂ）が正面図である。
【図３】同上の消火栓装置をトンネルの壁面に設置する際の状態を示したものであり、（ａ）が設置しようとしている状態を示した側面図、（ｂ）が設置している状態を示した側面図である。
【図４】同上の消火栓装置が備える壁面側上部支持金具（壁面側第１支持部材の一例）を単体で示したものであり、（ａ）が側面図、（ｂ）が正面図（Ｂ方向矢視図）である。
【図５】同上の消火栓装置が備える筐体側上部支持金具（筐体側第１支持部材の一例）を単体で示したものであり、（ａ）が正面図、（ｂ）が側面図である。
【図６】同上の消火栓装置が備える壁面側下部支持金具（壁面側第２支持部材の一例）及び筐体側下部支持金具（筐体側第２支持部材の一例）を単体で示したものであり、（ａ）が側面図、（ｂ）が正面図（Ｂ方向矢視図）である。
【図７】同上の消火栓装置が備える壁面側上部支持レール、壁面側上部支持金具（壁面側第１支持部材の別例）及び筐体側上部支持金具（筐体側第１支持部材の別例）を筐体と共に示したものであり、（ａ）が図３（ａ）に相当する図の要部拡大図、（ｂ）が図３（ｂ）に相当する図の要部拡大図である。
【図８】同上の壁面側上部支持レールを単体で示したものであり、（ａ）が正面図であり、（ｂ）が側面図である。
【図９】同上の壁面側上部支持金具（壁面側第１支持部材の別例）を単体で示したものであり、（ａ）が正面図、（ｂ）が側面図である。
【図１０】同上の消火栓装置が備える壁面側下部支持金具（壁面側第２支持部材の別例）を筐体と共に示したものであり、図３（ｂ）に相当する図の要部拡大図である。
【図１１】同上の壁面側下部支持金具（壁面側第２支持部材の別例）を単体で示したものであり、（ａ）が正面図、（ｂ）が側面図である。
【発明を実施するための形態】
【００１９】
この発明の実施形態について、消火栓装置の場合を例に、図１乃至図１１を参照しつつ説明する。なお、この発明は、消火栓装置だけでなく、消火器を収納してトンネルに設置される消火器箱にも適用することができる。
【００２０】
まず、この発明の実施形態の一例である消火栓装置１全体の基本構成について、簡単に説明する。
【００２１】
消火栓装置１は、図１に示したように、消火用ホース２が収納されるホース収納部３等を内蔵する筐体４を備えている。筐体４は、消火用ホース２の引き出し等をするための開口４ａと、その開口４ａを開閉する前扉４ｂとが設けられた前面パネル４ｃを有している。なお、前扉４ｂは、前傾して開くものであり、その裏面には、消火用ホース２の先端に設けられる消火用ノズル２ａや消火栓弁操作用の操作レバー５等が設けられている。
【００２２】
この消火栓装置１は、図２に示したように、シールド工法により施工されるトンネルＴに設置することのできるものであり、その筐体４を鋼製のセグメントＳＧにより構築される壁面Ｗ上に設置することのできるものである。
【００２３】
ここで、消火栓装置１は、本実施形態の場合、消火栓弁を含むその配管部分を別ユニットとして筐体４から分離し、筐体４を薄型で軽量のものとしており、壁面Ｗ上に設置するための支持部材への負担を軽減することができるものとしている。なお、分離したユニットは、例えば、トンネルＴにおける車道Ｒ１や監視員通路Ｒ２下の床版ＦＳ下の空間に設けられるものとすることができる。
【００２４】
次に、消火栓装置１の筐体４を壁面Ｗ上に設置するための支持部材について、詳細に説明する。
【００２５】
［壁面側上部支持金具（壁面側第１支持部材の一例）］
消火栓装置１は、筐体４を壁面Ｗ上に設置するための支持部材として、まず、壁面Ｗに取り付けられて、壁面Ｗ前方に向けて開口する開口部６ａが設けられる挟持部６ｂを有する壁面側上部支持金具６を備えている。
【００２６】
壁面側上部支持金具６は、具体的には、棒状の基部６ｃを有しており、その基部６ｃの先端部に挟持部６ｂの連結用の連結部６ｅが設けられていると共に、基端部に壁面Ｗへの取り付け用の固定部６ｄが設けられている（図４参照）。挟持部６ｂは、曲げ加工された２枚の金属板からなり、ボルト及びナットにより基部６ｃ先端部の連結部６ｅに固定されて連結されている。そして、固定部６ｄにより、挟持部６ｂの開口部６ａが壁面Ｗ前方に向かい、かつ、挟持部６ｂが挟入される対象物を上下方向から挟持する向きで壁面Ｗに取り付けられている（図３（ａ）参照）。
【００２７】
ここで、シールド工法により施工されるトンネルＴの壁面Ｗには、トンネル内に設置される照明や配管等の各種機器の固定用のものとして、インサートアンカーと呼ばれるボルト穴（以下、単に「インサートアンカー」という。）ＡＣが多数、規則的な配置で設けられている。消火栓装置１を壁面Ｗ上に設置する際、それらインサートアンカーＡＣを使用すれば、施工上、有利である。
【００２８】
本実施形態において、壁面側上部支持金具６は、固定部６ｄがインサートアンカーＡＣに固定（ボルト止め）されることにより壁面Ｗに取り付けられるものとしている（図３（ａ）及び（ｂ）参照）。また、その配置及び数については、トンネルの長さ方向（筐体４の横方向）に間隔を置いて３個設けられるものとしている（同前）。この配置や数については、インサートアンカーＡＣの数や配置に応じて変更することができるが、筐体４を安定して支持することができるように筐体４の横方向に間隔を置いて２個以上とするのが好ましい。
【００２９】
この壁面側上部支持金具６において、開口部６ａを含む挟持部６ｂは、本実施形態の場合、弾性変形して挟入される対象物を挟持することができる形状を有するものとしている。その形状は、具体的には、被挟持部である後記で詳細に説明する筐体側上部支持金具７の支持棒７ｂを上下方向から挟持するものとしており、また、その支持棒７ｂの断面形状に対応し、断面Ω状の形状を有するものとしている。なお、挟持部６ｂには、その挟持力をより強くするための部材を設けてもよく、例えば、開口部６ａを閉じる方向に締結するボルト及びナット等の締結部材を設けてもよい。
【００３０】
［筐体側上部支持金具（筐体側第１支持部材の一例）］
消火栓装置１は、筐体４を壁面Ｗ上に設置するための支持部材として、さらに、筐体４に取り付けられて、前記の壁面側上部支持金具６の開口部６ａから挟持部６ｂ内に挟入されて、挟持部６ｂにより挟持される断面円形状をなす支持棒７ｂ（被挟持部の一例）を有する筐体側上部支持金具７を備えている。
【００３１】
筐体側上部支持金具７は、具体的には、筐体４の横方向（幅方向）に間隔を置いて上面４ｄに上方に向けて立設される一対の固定部７ａを有しており、それら固定部７ａの間に横架されるように固定されて、筐体４の横方向に延在するものとして、前記の支持棒７ｂを有している（図５参照）。なお、この筐体側上部支持金具７については、筐体４の上面４ｄに設けるのに代えて、背面４ｅに設けるようにしてもよい。
【００３２】
ここで、消火栓装置１においては、基本的には、前記の壁面側上部支持金具６と筐体側上部支持金具７とを備えていることにより、図３（ａ）に示したように、筐体４を壁面Ｗ上の設置位置に向けて（矢印Ａ１方向）略水平に移動させれば、図３（ｂ）に示したように、筐体側上部支持金具７の支持棒７ｂを壁面側上部支持金具６の挟持部６ｂ内に開口部６ａから挟入させて、その挟持部６ｂにより挟持させることができ、筐体４を壁面Ｗ上に支持させることができる。それにより、筐体４を設置位置上方に移動させることなしに、壁面Ｗ上に設置することができ、筐体４を壁面Ｗ上に設置する作業を簡単なものとすることができるし、設置位置上方に筐体４を移動させるスペースがなかったとしても （例えば、床板ＦＳがトンネルＴの中央より上方に位置する場合、壁面Ｗは上方が車道側に傾斜することになるので、設置位置上方に筐体４を移動させるスペースのないことがある。）、その設置位置に筐体４を容易に設置することができる。
【００３３】
なお、前記の通り、本実施形態の場合、壁面側上部支持金具６の挟持部６ｂは、被挟持部である筐体側上部支持金具７の支持棒７ｂを上下方向から挟持するものとしており、その被挟持部である筐体側上部支持金具７の支持棒７ｂは、筐体４の横方向に延在するものとしている。筐体４は、その支持棒７ｂを回転軸として前後方向に回動可能になっており、それにより、後記で詳細に説明するが、縦方向の角度が調整可能になっている。
【００３４】
［壁面側下部支持金具（壁面側第２支持部材の一例）］
消火栓装置１は、筐体４を壁面Ｗ上に設置するための支持部材として、さらに、前記の壁面側上部支持金具６の下方に位置して、壁面Ｗに取り付けられ、縦方向の角度調整が可能な平板状の接続板８ａ（接続部の一例）を有する壁面側下部支持金具８を備えている。
【００３５】
壁面側下部支持金具８は、具体的には、コ字状の基部８ｃと、その基部８ｃの両側板間に軸着される支柱部８ｅとを有しており、支柱部８ｅの先端部に接続板８ａが設けられていると共に、基部８ｃの底板に壁面Ｗへの取り付け用の固定部８ｄが設けられている（図６参照）。そして、固定部８ｄにより、前記の通り、接続板８ａの接続面８ｂが壁面Ｗ前方に向かう向きで壁面Ｗに取り付けられている（図３（ａ）及び（ｂ）参照）。
【００３６】
なお、この壁面側下部支持金具８も、本実施形態の場合、壁面側上部支持金具６と同様、固定部８ｄがインサートアンカーＡＣに固定（ボルト止め）されることにより壁面Ｗに取り付けられるものとしている。その数及び配置についても、図示は省略するが、壁面側上部支持金具６と同様、トンネルの長さ方向（筐体４の長さ方向）に間隔を置いて３個 とすることができる。この配置や数については、インサートアンカーＡＣの数や配置に応じて変更することができるが、筐体４を安定して支持することができるように筐体４の横方向に間隔を置いて２個以上とするのが好ましい。
【００３７】
［筐体側下部支持金具（筐体側第２支持部材の一例）］
消火栓装置１は、筐体４を壁面Ｗ上に設置するための支持部材として、さらに、前記の筐体側上部支持金具７の下方に位置して筐体４に取り付けられ、縦方向の角度調整が可能な平板状の接続板９ａ（接続部の一例）を有する筐体側下部支持金具９を備えている。筐体側下部支持金具９は、後述するように壁面側下部支持金具８と当接して筐体４を支持するものであり、壁面側下部支持金具８の位置、数に対応するように配置される。
【００３８】
筐体側下部支持金具９は、具体的には、前記の壁面側下部支持金具８と同様の構造を有している。すなわち、コ字状の基部９ｃと、その基部９ｃの両側板間に軸着される支柱部９ｅとを有しており、支柱部９ｅの先端部に接続板９ａが設けられていると共に、基部９ｃの底板に筐体４への取り付け用の固定部９ｄが設けられている（図６参照）。そして、固定部９ｄにより、前記の通り、接続板９ａの接続面９ｂが筐体４後方に向かう向きで筐体４の背面４ｅに取り付けられている（図３（ａ）及び（ｂ）参照）。
【００３９】
ここで、トンネルの壁面Ｗは、図２に示したように縦方向に曲面をなしている。そのような壁面Ｗに消火栓装置１を設置する場合、縦方向の角度を調整可能とするのが好ましい。本実施形態において、壁面側下部支持金具８と筐体側下部支持金具９は、筐体４の支持部材として機能するだけでなく、筐体４の縦方向の角度調整部材としても機能する。すなわち、本実施形態の場合、壁面側下部支持金具８は、支柱部８ｆが基部８ｃに対して壁面Ｗの横方向（筐体４の横方向）に沿う回転軸回りに回動可能に軸着されるものとしており、その先端部に設けられる接続板８ａの縦方向の角度を調整可能なものとしている。また、筐体側下部支持金具９も、支柱部９ｆが基部９ｃに対して筐体４の横方向（壁面Ｗの横方向）に沿う回転軸回りに回動可能に軸着されるものとしており、その先端部に設けられる接続板９ａの縦方向の角度を調整可能なものとしている。そして、前記の通り、筐体４は、筐体側上部支持金具７の支持棒７ｂを回転軸として前後方向に回動可能なものとしており、縦方向の角度が変更可能なものとしている。それにより、壁面側下部支持金具８の接続板８ａと筐体側下部支持金具９の接続板９ａとをそれぞれの縦方向の角度を調整して接続すれば、筐体４の縦方向の角度を所望の角度に調整することができるようになっている。
【００４０】
なお、これら壁面側下部支持金具８と筐体側下部支持金具９は、いずれか一方だけを設けるようにしてもよい。すなわち、図２（ａ）に示したように、壁面側下部支持金具８だけとして、その接続板８ａを筐体４の背面に直接、接続するようにしてもよいし、図示は省略するが、筐体側下部支持金具９だけとして、その接続板９ａを壁面Ｗに直接、接続するようにしてもよい。さらに、壁面側下部支持金具８だけとする場合、接続板８ａを平板状のものとするのに代えて、筐体４の背面４ｅと底面４ｆとの間の角部に対応する断面Ｌ字状の形状を有するものとし、筐体４の底部が載置されものとしてもよい。
【００４１】
以上、この発明の実施形態の一例について説明したが、この発明は上記の実施形態に限定されるものではなく、種々の変更が可能である。
【００４２】
例えば、壁面側上部支持金具６と壁面側下部支持金具８は、インサートアンカーのないトンネルの壁面にも取り付けることができる。その場合、ボルト穴等の固定手段を壁面に新設し、それを使用して取り付けることができる。
【００４３】
また、壁面側の支持金具については、筐体４の長さと同程度又はより長い長さを有する長尺のものとしてもよい。図７乃至図９は、壁面側の上部支持金具をそのような長尺のものとする場合の一例を示したものである。この例の場合、壁面側の上部支持金具として、壁面ＷにトンネルＴの長さ方向に沿ってインサートアンカーＡＣにより固定されて取り付けられる長尺の壁面側上部支持レール１０（図８参照）と、その支持レール１０が有する溝部１０ａに嵌入されるフランジ部６ｄ’を後端部に有し、その支持レール１０に長さ方向に沿って移動可能に固定されて取り付けられる長尺の壁面側上部支持金具６’（図９参照）を使用している。そして、壁側上部支持金具６’は、上記の壁面側上部支持金具６と同様、壁面Ｗ前方に向けて開口する開口部６ａ’が設けられる挟持部６ｂ’を前端部に有し、その挟持部６ｂ’が挟持対象を上下方向から挟む向きで壁面側上部支持レール１０に取り付けられる（図７参照）。また、筐体側上部支持金具７’は、上記の筐体側上部支持金具７と同様、壁面側上部支持金具６’の挟持部６ｂ’内に挟入されて、挟持部６ｂ’により挟持される支持棒７ｂ’を有すると共に、その支持棒７ｂ’が横架されるように固定される一対の固定部７ａ’を有するが、上記の筐体側上部支持金具７とは異なり、固定部７ａ’が筐体４の背面４ｅに固定されるものとしており、支持棒７ｂ’が筐体４の背面４ｅ上に設けられるものとしている（図７参照）。これにより、上記の壁面側上部支持金具６及び筐体側上部支持金具７と同様、図７（ａ）に示したように、筐体４を壁面Ｗ上の設置位置に向けて略水平（矢印Ａ１方向）に移動させれば、図７（ｂ）に示したように、筐体側上部支持金具７’の支持棒７ｂ’を壁面側上部支持金具６’の挟持部６ｂ’内に開口部６ａ’から挟入させて、その挟持部６ｂ’により挟持させることができ、筐体４を壁面Ｗに支持することができる。また、この例の場合、壁面側の上部支持金具として、トンネルＴの長さ方向に沿って壁面Ｗに固定されて取り付けられる長尺の壁面側上部支持レール１０と、その支持レール１０に長さ方向に移動可能に固定されて取り付けられる長尺の壁面側上部支持金具６’を使用していることにより、壁面側上部支持金具６’の取り付け位置を壁面側上部支持レール１０の長さ方向に移動させることで、筐体４の取り付け位置をトンネルＴの長さ方向に調整可能とすることができる。なお、壁面側上部支持金具６’については、長尺のものを用いるのに代えて、短尺のものを複数用いるようにしてもよい。
【００４４】
さらに、壁面側の下部支持金具についても、上部支持金具と共に、長尺のものを用いるようにしてもよい。図１０及び図１１に示したものは、壁面側の下部支持金具をそのような長尺のものとする場合の一例である。この例の場合、筐体４を直接支持する壁面側下部支持金具８’を長尺のものしつつ（図１１参照）、壁面ＷにトンネルＴの長さ方向に沿ってインサートアンカーＡＣにより固定されて取り付けられるものとしている（図１０参照）。なお、図１０に示したように、この壁面側下部支持金具８’において、載置部８ａ’は、筐体４が載置されて、筐体４を支持する部分として機能するが、その形状は、筐体４の背面４ｅと底面４ｆとの間の角部に対応する断面Ｌ字状の形状を有するものとしている。また、固定部８ｂ’は、インサートアンカーＡＣにより壁面Ｗに固定されて、壁面Ｗへの固定部分として機能するが、その形状は、壁面Ｗの傾斜に沿って傾斜するものとしている。
【符号の説明】
【００４５】
１：消火栓装置  ２：消火用ホース  ２ａ：消火用ノズル
３：ホース収納部  ４：筐体  ４ａ：開口  ４ｂ：前扉  ４ｃ：前面パネル
４ｄ：上面  ４ｅ：背面  ４ｆ：底面  ５：操作レバー
６：壁面側上部支持金具  ６ａ：開口部  ６ｂ：挟持部  ６ｃ：基部
６ｄ：固定部  ６ｅ：連結部  ６’：壁面側上部支持金具  
６ａ’：開口部  ６ｂ’：挟持部  ６ｄ’：フランジ部
７：筐体側上部支持金具  ７ａ：固定部  ７ｂ：支持棒
７’：筐体側上部支持金具  ７ａ’：固定部  ７ｂ’：支持棒
８：壁面側下部支持金具  ８ａ：接続板  ８ｂ：接続面  ８ｃ：基部
８ｄ：固定部  ８ｅ：支柱部  ８’：壁面側下部支持金具
８ａ’：載置部  ８ｂ’：固定部  ９：筐体側下部支持金具  ９ａ：接続板
９ｂ：接続面  ９ｃ：基部  ９ｄ：固定部  ９ｅ：支柱部
１０：壁面側上部支持レール  １０ａ：溝部
Ｔ：トンネル  Ｗ：壁面  ＳＧ：セグメント
ＡＣ：インサートアンカー  Ｒ１：車道  Ｒ２：監視員通路  ＦＳ：床版
【図１】
2019041860.tif 000003
【図２】
2019041860.tif 000004
【図３】
2019041860.tif 000005
【図４】
2019041860.tif 000006
【図５】
2019041860.tif 000007
【図６】
2019041860.tif 000008
【図７】
2019041860.tif 000009
【図８】
2019041860.tif 000010
【図９】
2019041860.tif 000011
【図１０】
2019041860.tif 000012
【図１１】
2019041860.tif 000013